(57)【要約】      （修正有）【課題】再利用により異なる銘柄の穀物が収納され出荷されることを防止可能な包装袋を提供する。【解決手段】包装袋は、第一面１０と第二面２０を有し、上部に開口部３０が形成されている。第一面は、上端縁４１、左右２本のスリット４２、４３、及び切断誘導線４４によって周囲を囲われたフラップ部４０と、フラップ部に取り付けられた紐部材５０と、フラップ部の内面に設けられた粘着部６０とを有する。ここで、粘着部６０によってフラップ部の内面が第二面２０の内面に接着された状態において、切断誘導線４４に沿ってフラップ部を紐部材とともに切り離すことで、粘着部や紐部材を利用して包装袋の開口部を再度閉じることができなくなるため、包装袋の再利用が防止される。【選択図】図２
0003192407.tif 000002
【実用新案登録請求の範囲】
【請求項１】
第一面（１０）と，
前記第一面（１０）に重ね合わされた第二面（２０）と，を有し，
上部に開口部（３０）が形成されるようにして，前記第一面（１０）と前記第二面（２０）の周囲が閉じられている包装袋であって，
前記第一面（１０）は，
前記第一面（１０）の上端縁（４１）と，前記上端縁（４１）から上下方向に延びる左右２本のスリット（４２，４３）と，前記２本のスリット（４２，４３）の間を繋ぐように形成された切断誘導線（４４）とによって周囲を囲われたフラップ部（４０）と，
前記フラップ部（４０）の左右方向両端から延出するように，前記フラップ部（４０）に取り付けられた紐部材（５０）と，
前記フラップ部（４０）の内面に設けられた粘着部（６０）と，を有し，
前記粘着部（６０）によって前記第一面（１０）の前記フラップ部（４０）の内面が前記第二面（２０）の内面に接着された状態において，前記切断誘導線（４４）に沿って前記フラップ部（４０）を前記紐部材（５０）とともに切り離すことで，再び開口部（３０´）が形成される
包装袋。
【請求項２】
少なくとも前記第一面（１０）は，複数のシート部材（１１，１２…）を積層して形成されており，
前記フラップ部（４０）は，前記複数のシート部材（１１，１２…）によって構成されており，
前記切断誘導線（４４）は，前記フラップ部（４０）を構成する前記シート部材（１１，１２…）のうちの最内層（１１）にのみ形成されており，
前記紐部材（５０）と前記粘着部（６０）は，前記フラップ部（４０）の前記最内層（１１）に取り付けられおり，
これにより，前記フラップ部（４０）の前記最内層（１１）が前記紐部材（５０）とともに前記切断誘導線（４４）に沿って切り離されて，再び開口部（３０´）が形成される
請求項１に記載の包装袋。
【請求項３】
さらに，前記粘着部（６０）の全体を被覆するように設けられた剥離材（６１）を有する
請求項１又は請求項２に記載の包装袋。
【考案の詳細な説明】
【技術分野】
【０００１】
本考案は，米などの穀物を収納するのに適した包装袋に関する。
【背景技術】
【０００２】
一般的に，米などの穀物を生産する農家は，穀物を収穫して出荷する際に，収穫した穀物を比較的大型の紙製包装袋に収納することとしている。このような紙製包装袋は，クラフト紙を積層することで比較的丈夫な構造となっていることが多い。また，紙製包装袋の上部には，穀物を出し入れするための開口部が形成されており，この開口部の近傍には紐部材が取り付けられている。このため，包装袋の中に穀物を詰め込んだ後に，紐部材を利用して開口部を閉じることができるようになっている。このような構造の包装袋は，例えば特許文献１に開示されている。
【先行技術文献】
【特許文献】
【０００３】
【特許文献１】実用新案登録第３１８９８６５号
【考案の概要】
【考案が解決しようとする課題】
【０００４】
上記のように，従来の穀物用の包装袋は，クラフト紙を積層することで比較的丈夫な構造となっているとともに，紐部材を利用して開口部を開け閉めできることから，再利用することが容易であった。
【０００５】
ところで，穀物用の包装袋には，一般的に，穀物の生産地や，生産者名，銘柄などが印刷されている。特に，米には各生産地においてブランド米と呼ばれるものが存在しており，その銘柄が，非常に高い顧客吸引力を有するとともに，一定の品質であることを保証する重要な役割を担う。しかしながら，上記した従来の包装袋のように，一度穀物を収納して出荷した後に再利用することが容易な構造であると，ある穀物の銘柄が印刷された包装袋に，他の銘柄の穀物を収納して出荷することも容易にできてしまう。このように，再利用された包装袋の中に異なる銘柄の穀物が収容されていると，穀物を取り扱う卸売業者や小売業者に出所の誤認や混合を生じさせるおそれがあるという問題があった。
【０００６】
このため，現在では，再利用を防止することのできる包装袋が求められている。
【課題を解決するための手段】
【０００７】
そこで，本考案の考案者は，上記の従来技術の問題を解決する手段について鋭意検討した結果，包装袋の上部にフラップ部を形成し，このフラップ部に，開口を閉じるための粘着部と紐部材を取り付けるとともに，切断誘導線（ミシン目線）を形成することで，粘着部と紐部材を利用して一度閉じられた開口を再度開くときには，切断誘導線を介して紐部材とともにフラップ部が分離されるようになるという知見を得た。このため，例えば，フラップ部の粘着部を利用して包装袋の開口を一度閉じると，粘着部の作用により，フラップ部が包装袋の内面から剥がれなくなる。また，例えば，フラップ部の粘着部を利用して包装袋の開口を閉じた後，切断誘導線を破断させるとともに，フラップ部を包装袋の内面から剥がすことで，フラップ部と紐部材が包装袋から完全に分離されるようになる。このため，この包装袋を再利用して，穀物などを包装することができなくなる。そして，本考案者は，上記知見に基づけば，従来技術の問題を解決できることに想到し，本考案を完成させた。
具体的に説明すると，本考案は以下の構成を有する。
【０００８】
本考案に係る包装袋は，第一面１０と，この第一面１０に重ね合わされた第二面２０とを有している。
これらの第一面１０と第二面２０は，上部に開口部３０が形成されるようにして，その周囲が閉じられている。
なお，第一面１０と第二面２０は，一体のシート部材を折り畳むことにより形成されたものであってもよいし，別々のシート部材から構成されたものであってもよい。つまり，第一面１０と第二面２０は，一体であってもよいし，別体であってもよい。
また，第一面１０は，フラップ部４０と，紐部材５０と，粘着部６０とを有している。
フラップ部４０は，第一面１０の上端縁４１と，この上端縁４１から上下方向に延びる左右２本のスリット４２，４３と，この２本のスリット４２，４３の間を繋ぐように形成された切断誘導線４４とによって周囲を囲われた部分である。
紐部材５０は，フラップ部４０の左右方向両端から延出するように，このフラップ部４０に取り付けられている。
粘着部６０は，フラップ部４０の内面に設けられている。
このため，本考案に係る包装袋は，粘着部６０によって，第一面１０のフラップ部４０の内面を，第二面２０の内面に接着することができる。そして，このような状態において，切断誘導線４４に沿ってフラップ部４０を紐部材５０とともに切り離すことで，再び開口部３０´が形成されることとなる。その際，フラップ部４０と紐部材５０は，第一面１０から切り離されて，第二面２０の内面に接着されたまま残ったり，包装袋から完全に分離されたりする。
【０００９】
上記構成のように，本考案に係る包装袋は，開口部３０を一度閉じた後に，その開口部３０を開封して収容物を取り出すと，フラップ部４０が紐部材５０とともに第一面１０から切り離される。従って，一度開封した後には，フラップ部４０に取り付けられた粘着部４０や紐部材５０を利用して，開口部３０を閉じられなくなる。例えば，開口部３０が閉じられた後に，切断誘導線４４が一旦破断すると，フラップ４０と紐部材５０は，第一面１０から切り離されて第二面２０の内面に貼り付いたまま残ったり，若しくは包装袋から完全に分離されることとなる。また，一度開封した後には，フラップ部４０と紐部材５０が切り離されることとなるため，既に一度使用済みであることを容易に把握できる。その結果，本考案によれば，包装袋の再利用を防止することが可能となる。
【００１０】
本考案に係る包装袋において，少なくとも第一面１０は，複数のシート部材１１，１２…を積層して形成されたものであることが好ましい。
この場合，フラップ部４０は，複数のシート部材１１，１２…によって構成されることとなる。
このような形態において，切断誘導線４４は，フラップ部４０を構成するシート部材１１，１２…のうちの最内層１１にのみ形成されていることが好ましい。
また，紐部材５０と粘着部６０は，フラップ部４０の最内層１１に設けられていることが好ましい。
これにより，フラップ部４０の最内層１１のみが紐部材５０とともに切断誘導線４４に沿って切り離されて，再び開口部３０´が形成される。
【００１１】
上記構成のように，包装袋を複数のシート部材１１，１２…で形成することで，包装袋が丈夫になる。また，包装袋を複数層で形成する場合には，フラップ部４０の切断誘導線４４を最内層１１にのみ形成することで，このフラップ部４０の最内層１１を切断誘導線４４に沿って切り離しやすくなる。
【００１２】
本発明の包装袋は，さらに，粘着部６０を被覆するように設けられた剥離材６１を有することが好ましい。
【００１３】
また，本考案の係る包装袋において，粘着部６０は，剥離剤６１で全体を被覆されたホットメルト接着剤であることが好ましい。
この場合，紐部材５０は，粘着部６０によって，フラップ部４０の内面に取り付けられていることが好ましい。粘着部６０は，ホットメルト粘着剤に限定されるものではなく，例えばアクリル系，シリコン系，ゴム系，ＥＶＡ等の他の公知の粘着剤を使用してもよい。また，粘着部６０は，両面テープであってもよい。
【００１４】
本考案に係る包装袋は，穀物用の紙製包装袋であることが好ましい。
ただし，本考案の包装袋は，合成樹脂製であってもよいし，布製であってもよい。また，包装袋の包装袋は，米などの穀物用に限定されるものではなく，その他に，例えば野菜，魚介類，飼料，肥料，塩，砂糖，樹脂，塵芥，炭，砂等の種々の物品を収容するものであってもよい。
【考案の効果】
【００１５】
本考案によれば，再利用を防止可能な包装袋を提供することができる。
【図面の簡単な説明】
【００１６】
【図１】図１は，一実施形態に係る包装袋の外観図であって，フラップ部が折り返されていない状態を示している。
【図２】図２は，一実施形態に係る包装袋の外観図であって，フラップ部が折り返された状態を示している。
【図３】図３は，一実施形態に係る包装袋の外観図であって，フラップ部の最内層が包装袋の内面に接着された状態を示している。
【図４】図４は，一実施形態に係る包装袋の外観図であって，包装袋を開封する方法の一例を示している。
【図５】図５は，一実施形態に係る包装袋の外観図であって，包装袋を開封する方法の別の例を示している。
【考案を実施するための形態】
【００１７】
以下，図面を用いて本考案を実施するための形態について説明する。本考案は，以下に説明する形態に限定されるものではなく，以下の形態から当業者が自明な範囲で適宜修正したものも含む。
【００１８】
本考案は，米などの穀物を収納するのに適した包装袋に関する。本考案の一実施形態に係る包装袋１００は，図１〜図５に示されている。図１〜図５を参照して，包装袋１００の一実施形態について説明する。
【００１９】
図１は，包装袋１００の開口部３０が開いた状態を示している。図１に示されるように，包装袋１００は，第一面１０と第二面２０とを重ね合わせることによって形成されている。第一面１０と第二面２０は，包装袋１００の上方に開口部３０を形成しつつ，この開口部３０を除く周囲において閉じられている。図１に示した本実施形態では，第一面１０と第二面２０とが一体のシート部材によって形成されている。このため，本実施形態の包装袋１００は，一体のシート部材を折り畳むことによって，互いに重なり合う第一面１０と第二面２０が形成されるとともに，開口部３０を除く三方において閉じられた構造となる。このように，包装袋１００は，上方の開口部３０から穀物などの収容物を出し入れすることができる袋状に構成されている。
【００２０】
また，図１に示されるように，包装袋１００は，複数のシート部材１１，１２，１３を積層した積層シートによって構成されていることが好ましい。図１に示した例では，包装袋１００は，３層のシート部材１１〜１３によって形成されている。包装袋１００を構成する各シート部材１１〜１３は，紙製，合成樹脂製，又は布製であってもよし，金属フィルムであってもよい。また，各シート部材１１〜１３ごとに素材を異ならせてもよい。本実施形態では，米などの穀物を収容するのに適していることから，各シート部材１１〜１３は，クラフト紙などの紙製とすることが好ましい。
【００２１】
図２は，包装袋１００の第一面１０の一部を折り返した状態を示している。図１及び図２に示されるように，第一面１０には，折り返し可能なフラップ部４０が形成されている。本実施形態の包装袋１００は，複数層のシート部材１１〜１３で形成されていることから，このフラップ部４０も同様に，複数のシート部材１１〜１３を積層して形成されている。図１及び図２に示されるように，フラップ部４０は，第一面１０の上端縁４１と，この上端縁４１から上下方向に延びる左右２本のスリット４２，４３と，この２本のスリット４２，４３の間を繋ぐように形成された切断誘導線４４とによって周囲を囲われた部分である。なお，図２では，切断誘導線４４が，破線で示されている。また，図１では，切断誘導線４４に対応する位置に形成された折り目線４５が，一点鎖線で示されている。このように，フラップ部４０は，切断誘導線４４（折り目線４５）折り目として，包装袋１００の外側（又は内側）に向かって折り返すことが可能である。
【００２２】
具体的に説明すると，フラップ部４０は，左側のスリット４２と右側のスリット４３によって，第一面１０から切り離されている。左右のスリット４２，４３は，上端縁４１から上下方向に延びる直線状であることが好ましい。ただし，スリット４２，４３の形状は，上端縁４１から上下方向に延びるものであればよく，直線状の他，曲線，屈折線，波線，又はジグザグ線とすることもできる。また，２本のスリット４２，４３を形成する位置は特に限定されないが，例えば，２本のスリット４２，４３の間の間隔は，第一面１０の左右方向の横幅に対し，５０％〜１００％，７０％〜９５％，又は８０％〜９０％とすればよい。なお，２本のスリット４２，４３の間の間隔は，フラップ部４０の左右方向の横幅に相当する。
【００２３】
また，切断誘導線４４は，他の部分に比べて切断し易くなった線状の部分である。切断誘導線４４は，例えばミシン目線によって形成すればよい。切断誘導線４４は，左右の２本のスリット４２，４３の間を繋ぐようにして形成されている。例えば，切断誘導線４４は，２本のスリット４２，４３の下端同士を繋ぐ直線状に形成されていることが好ましい。ただし，切断誘導線４４は，２本のスリット４２，４３の間を繋ぐものであればよく，直線状の他，曲線，屈折線，波線，又はジグザグ線などであってもよい。
【００２４】
ここで，図１に示した実施形態において，切断誘導線４４は，フラップ部４０を構成する３層のシート部材１１〜１３の内，最も内側に位置する最内層１１にのみ形成されている。つまり，切断誘導線４４は，３層のシート部材１１〜１３の全てを貫通するように形成されたものではなく，最内層１１にあたるシート部材にのみを貫通するように形成されている。このため，３層のシート部材１１〜１３のうち，中間に位置する中間層１２と，最も外側に位置する最外層１３には，切断誘導線４４は形成されておらず，その代わりとして折り目線４５が形成されている。
【００２５】
また，図示は省略するが，包装袋１００の各シート部材がそれぞれ一体のシート部材を折りたたんで形成されている場合，包装袋１００の第一面１０又は第二面２０には，シート部材の両端部を接着剤等で貼り合せる部位に繋ぎ目が生じる。この場合，ミシン目線である切断誘導線４４が繋ぎ目を横断する箇所には，切断誘導線４４から接着剤が漏出するのを防止するため，ミシン目を形成しなくてもよい。
【００２６】
また，フラップ部４０を構成する３層のシート部材１１〜１３のうち，フラップ部４０の最内層１１は，その中間層１２から分離できるようになっている。他方，フラップ部４０の中間層１２と最外層１３は，接着剤などによって接着されていていることが好ましい。ただし，フラップ部４０の中間層１２と最外層１３は，分離することができるものであってもよい。これにより，少なくとも，フラップ部４０の最内層１１は，中間層１２と最外層１３とから独立して，切断誘導線４４に沿って折り曲げることができるようになっている。
【００２７】
また，図２に示されるように，フラップ部４０の最内層１１の内面には，紐部材５０が取り付けられている。紐部材５０は，少なくとも，フラップ部４０の左右方向両端から延出するようにして，フラップ部４０に取り付けられる。例えば，紐部材５０は，フラップ部４０の横幅よりも長いものを１本取り付けることとしてもよいし，フラップ部４０の左右両端のそれぞれに１本ずつ合計２本取り付けることとしてもよいし，また２本以上であってもよい。紐部材５０は，包装袋１００の開口部３０を閉じる際及び開封する際に利用することができるものである。すなわち，フラップ部４０の左右両端から延出する紐部材５０を適宜縛ることで，包装袋１００の開口部３０が閉じられる。また，包装袋１００を開封する際には，紐部材５０をカットテープのように引っ張り上げることで，包装袋１００を簡単に開封できる。紐部材５０は，公知の素材を用いて形成することができ，紙製，合成樹脂製，又は布製とすればよい。
【００２８】
また，図２に示されるように，フラップ部４０の最内層１１の内面には，粘着部６０が設けられている。本実施形態において，粘着部６０は，紐部材５０を覆うようにして設けられている。また，粘着部６０は，その全体を剥離材６１によって被覆されていることが好ましい。剥離材６１は，例えば紙等の公知の材料で構成することができる。剥離材６１は，粘着部６０から簡単に剥がすことができる。また，紐部材５０は，粘着部６０によって，フラップ部４０の最内層１１の内面に固定されている。粘着部６０は，例えば，ホットメルト粘着剤であってもよいし，アクリル系，シリコン系，ゴム系，ＥＶＡ等の公知の接着剤であってもよい。その中でも，粘着部６０は剥離材６１で被覆されたホットメルト粘着剤であることが好ましい。このような粘着剤によれば，フラップ部４０の最内層１１の内面側に粘着部６０を形成しつつ，フラップ部４０の最内層１１の内面に紐部材５０を取り付けることができる。また，粘着部６０は，両面テープであってもよい。
【００２９】
なお，図示は省略するが，紐部材５０は，フラップ部４０の最内層１１の外面に取り付けられていてもよい。この場合，紐部材５０をフラップ部４０の最内層１１の外面に取り付けるための接着手段を，上記粘着部６０とは別途設けることが必要である。
【００３０】
図３は，第一面１０に形成されたフラップ部４０の最内層１１を，第二面２０の内面に取り付けた状態を示している。図３に示されるように，第一面１０のフラップ部４０の最内層１１は，その内面に設けられた粘着部６０を介して，第二面２０の内面に接着される。このように，フラップ部４０の最内層１１を第二面２０に接着することで，包装袋１００の上部の開口部３０が封緘される。また，図３に示した状態で，紐部材５０を利用して，包装袋１００の上部を丸めて縛っておくことにより，包装袋１００をコンパクトにすることができる。また，紐部材５０を利用することで，包装袋１００の内部に収納された穀物などをより安全に包装しておくことができる。なお，紐部材５０の縛り方は自由である。
【００３１】
上記のように，包装袋１００は，その内部に穀物などを収納し，上部の開口部３０を閉じた状態で，搬送したり棚に陳列したりすることができる。このように，本考案に係る包装袋１００は，一度目の使用時においては，穀物などを適切に収納することができる。
【００３２】
図４は，一度封緘された包装袋１００を開封する方法の一例を示している。図４に示されるように，包装袋１００を開封する際には，まず紐部材５０を解いて元の状態に戻す。その後，フラップ部４０に取り付けられている紐部材５０を持ってカットテープのように引っ張る。そうすると，フラップ４０が第二面２０の内面から剥がれるとともに，フラップ部４０の最内層１１に形成された切断誘導線４４が破断する。そして，切断誘導線４４が破断すると，図４に示されるように，フラップ部４０の最内層１１と紐部材５０が包装袋１００から完全に分離される。また，切断誘導線４４が破断すると，その部分に新たな開口部３０´が形成される。この新たな開口部３０´から，包装袋１００内に包装されている穀物などを取り出すことができる。
【００３３】
この図４に示した開封方法では，紐部材５０を摘み持ってカットテープのようにして引っ張ることで，切断誘導線４４が破断するため，簡単に包装袋１００を開封することができる。また，この開封方法では，フラップ部４０の最内層１１と紐部材５０が包装袋１００から完全に分離されるため，この最内層１１に設けられた粘着部６０や紐部材５０を利用して，包装袋１００を再度封緘することができなくなる。従って，本考案に係る構造によれば，包装袋１００の再利用を効果的に防止することができる。
【００３４】
図５は，一度封緘された包装袋１００を開封する方法の他の例を示している。図５に示されるように，包装袋１００を開封する際には，まず紐部材５０を解いて元の状態に戻す。その後，第一面１０の上方に形成されたフラップ部４０のうち，中間層１２と最外層１３とを摘み持ちながら引っ張る。そうすると，フラップ部４０の最内層１１に形成された切断誘導線４４が破断する。切断誘導線４４が破断すると，図５に示されるように，フラップ部４０の最内層１１が第一面１０から切り離されて，第二面２０の内面に接着した状態のまま残るようになる。また，切断誘導線４４が破断すると，その部分に新たな開口部３０´が形成される。この新たな開口部３０´から，包装袋１００内に包装されている穀物などを取り出すことができる。
【００３５】
ここで，図５に示されるように，包装袋１００を一度封緘した後に開封すると，第一面１０に形成されたフラップ部４０の最内層１１が，第二面２０の内面に接着されたまま残ることとなる。このため，フラップ部４０の最内層１１に設けられた粘着部６０を利用して，包装袋１００の新たな開口部３０´を再度閉じることはできない。また，フラップ部４０の最内層１１が第二面２０に接着されたままの状態では，紐部材５０もまた第二面２０側に残っていることとなる。このため，紐部材５０を利用して，新たな開口部３０´を再度閉じることも難しい。従って，本考案に係る構造によれば，包装袋１００の再利用を効果的に防止することができる。
【００３６】
以上，本願明細書では，本考案の内容を表現するために，図面を参照しながら本考案の実施形態の説明を行った。ただし，本考案は，上記実施形態に限定されるものではなく，本願明細書に記載された事項に基づいて当業者が自明な変更形態や改良形態を包含するものである。
【産業上の利用可能性】
【００３７】
本考案は，米などの穀物を収納するのに適した包装袋に関する。従って，本考案は，包装資材の製造業などにおいて好適に利用し得る。
【符号の説明】
【００３８】
１０…第一面                  １１…シート部材（最内層）
１２…シート部材（中間層）    １３…シート部材（最外層）
２０…第二面                  ３０…開口部
４０…フラップ部              ４１…上端縁
４２…スリット（左側）        ４３…スリット（右側）
４４…切断誘導線              ４５…折り目線
５０…紐部材                  ６０…粘着部
６１…剥離材                  １００…包装袋
【図１】
0003192407.tif 000003
【図２】
0003192407.tif 000004
【図３】
0003192407.tif 000005
【図４】
0003192407.tif 000006
【図５】
0003192407.tif 000007